(57)【要約】
【課題】防塵装置の取り付けが簡便で、損壊しにくい電子カードコネクタを提供する。
【解決手段】端子モジュールと遮蔽ハウジングとカード取り出し機構と防塵装置を含み、端子モジュールは絶縁本体と、絶縁本体に収容される複数の導電端子を有する。遮蔽ハウジングは端子モジュールに装着され、端子モジュールの一端を覆う蓋板と、蓋板の辺縁から下に向けて延びる一対の側板を有する。カード取り出し機構は遮蔽ハウジングの一つの側板に取り付けられる。防塵装置は遮蔽ハウジングの導電端子から遠く離れた一端に取り付けられ、取り付け部材とドア形部材を有し、取り付け部材は基板と、基板の両側に延びる一対のアーム部を有し、アーム部に軸穴が設けられ、一つのアーム部が遮蔽ハウジングに固持され、もう一つのアーム部がカード取り出し機構に固持され、ドア形部材はアーム部に枢設され、軸穴に嵌め合わされる転軸と転軸を中心として回転する保護板とを有する。
【選択図】図２
0003101432.tif 000002
【実用新案登録請求の範囲】
【請求項１】
絶縁本体と絶縁本体に収容される複数の導電端子を有する端子モジュールと、
前記端子モジュールに装着され、端子モジュールの一端を覆う蓋板と蓋板の両側縁から延びる一対の側板とを有する遮蔽ハウジングと、
前記遮蔽ハウジングの導電端子から遠く離れた一端に装着され、取り付け部材とドウ形部材とを有し、前記取り付け部材に基板と基板の両側に沿って延びる一対のアーム部を有し、前記アーム部に軸穴が設けられ、一つのアーム部が前記遮蔽ハウジングに固持され、もう一つのアーム部がカード取り出し機構に固持され、ドア形部材が前記アーム部に枢接され、軸穴に結合した転軸と前記転軸を中心として回転する保護板とを有する防塵装置と、
を備えることを特徴とする電子カードコネクタ。
【請求項２】
前記アーム部は、遮蔽ハウジングに固持される第一アーム部と、カード取り出し機構に固持される第二アーム部とを含み、前記第一アーム部は基板と垂直であることを特徴とする請求項１に記載の電気カードコネクタ。
【請求項３】
前記第二アーム部は基板に垂直な垂直部と、前記垂直部から曲がって延び且つ基板と平行な水平部と、を有することを特徴とする請求項２に記載の電気カードコネクタ。
【請求項４】
前記遮蔽ハウジングの一つの側板に阻止片が設けられ、第一アーム部に矩形の開口が形成され、開口の中央に定位片が設けられ、前記定位片が側板の阻止片に結合され、第一アーム部を側板に固持させることを特徴とする請求項２あるいは３に記載の電気カードコネクタ。
【請求項５】
前記カード取り出し機構は固持枠を有し、前記固持枠にも阻止片が設けられ、第二アーム部の水平部に矩形の開口が形成され、開口の中央に定位片が設けられ、前記定位片がカード取り出し機構の阻止片に結合され、第二アーム部を固持枠に固持させることを特徴とする請求項２あるいは３に記載の電気カードコネクタ。
【請求項６】
前記防塵装置はねじれバネを有し、前記ねじれバネは主体部と前記主体部の一端から延びる第一押圧アームと主体部のもう一端から延びる第二押圧アームを有することを特徴とする請求項１、２あるいは３に記載の電気カードコネクタ。
【請求項７】
前記ねじれバネの主体は前記転軸の基部に装着され、第一押圧アームが前記保護板に当接され、第二押圧アームが前記取り付け部材の基板に当接されることを特徴とする請求項６に記載の電気カードコネクタ。
【請求項８】
前記ドア形部材は軸の上方に設けられるグルーブを有し、前記ねじれバネの主体部が前記グルーブに収容されることを特徴とする請求項７に記載の電気カードコネクタ。
【請求項９】
前記ドア形部材の内表面に定位溝が設けられ、前記ねじれバネの第一押圧アームが前記定位溝に収容されることを特徴とする請求項８に記載の電気カードコネクタ。
【請求項１０】
前記ドア形部材は前記転軸の上方に設けられる定位柱を有することを特徴とする請求項９に記載の電気カードコネクタ。
【請求項１１】
前記第一アーム部には軸穴を中心とするアークレールが設けられ、前記定位柱が前記アークレールに収容され、且つ、アークレールに沿って滑ることを特徴とする請求項１０に記載の電気カードコネクタ。
【請求項１２】
前記ドア形部材は保護板の中央から下に向けて延びる突起を有し、取り付け部材の基板に前記保護板の突起に結合する凹口が設けられることを特徴とする請求項７に記載の電気カードコネクタ。
【請求項１３】
前記転軸と定位柱の距離は軸穴を中心とする前記アークレールの半径と同じであることを特徴とする請求項１１に記載の電気カードコネクタ。
【請求項１４】
前記遮蔽ハウジングの側板の前端に係合片が設けられ、第一アーム部に前記係合片に結合する係合穴が設けられることを特徴とする請求項２に記載の電気カードコネクタ。
【請求項１５】
前記遮蔽ハウジングの側板の前端の上、下の辺縁にそれぞれ複数の係合口が設けられ、前記カード取り出し機構の固持枠の上、下の側縁に遮蔽ハウジングの係合口に結合した係合部が設けられることを特徴とする請求項５に記載の電気カードコネクタ。
【考案の詳細な説明】
【技術分野】
【０００１】
本考案は電子カードコネクタに関し、特に、電子カードを取り込むことに用いられ、且つ防塵装置を有した電子カードコネクタに関するものである。
【背景技術】
【０００２】
ノートコンピュータの外形のサイズがもっと軽薄短小化になっているにつれて、今のノートコンピュータが通にたくさんの外部に掛けられる記憶カードによってますます増える機能を実現した。したがって、いろいろな電子カードを取り込むのにもっぱら用いられる電子カードコネクタはノートコンピュータに広く使われ、且つ、さらに両層か多層までの機構に開発される。ノートコンピュータが塵の多い環境あるいは携帯している過程の中で、塵か異物かが電子カードコネクタのコンセントからコンピュータの内部に入ることによって、コンピュータの内部が不潔になるので、ノートコンピュータの正常な動作に影響し、ひどい時には、使用の寿命にまで影響する。それで、従来の電子カードのコネクタの元で、また遮蔽ドアや防塵蓋などの部材を有している電子カードコネクタが出現している。
【０００３】
相関する技術は特許文献１を参照し、防塵装置を有している電子カードのコネクタであって、前記コネクタにフレーム体と、前記フレームに装着られる上、下遮蔽ドアと、フレーム体の左、右側から後に向けて延びる一対の固持アームと、を備え、前記両固持アームは電子カードコネクタの本体のリードホルダーに固持さる。しかし、前記固持アームは軽薄な金属片を押圧することによって形成され、曲がるか折れるなどの問題が発生しやすいので、防塵装置がコネクタとしっかりと結合されなく、電子カードの挿入に影響するか電子カードコネクタの防塵の効果が不良になる。また、前記防塵装置はナットによってリードホルダーに装着され、取り付けが不便で、且つ、電子カードコネクタのリードホルダーにまた防塵装置を固持するための対応しての機構が設けられ、電子カードコネクタの機構を複雑化させ、且つ、リードホルダーの強度を低くさせる。
【０００４】
従って、前記電子カードを改善させ、前記の欠点を克服させるコネクタを設計することが必要である。
【特許文献１】米国特許第６３６８１２３号明細書
【考案の開示】
【考案が解決しようとする課題】
【０００５】
本考案は防塵装置の取り付けが簡便で、且つ、損壊しにくい電子カードコネクタを提供することを目的とする。
【課題を解決するための手段】
【０００６】
前記の目的を達成するために、本考案の電子カードコネクタは端子モジュールと、遮蔽ハウジングと、カード取り出し機構と、防塵装置とを含み、前記端子モジュールは絶縁本体と、前記の絶縁本体に収容される複数の導電端子とを有する。遮蔽ハウジングは端子モジュールに装着られ、端子モジュールの一端を覆う蓋板と、前記蓋板の辺縁から下に向けて延びる一対の側板を有する。カード取り出し機構は遮蔽ハウジングの一つの側板に取り組まれる。防塵装置は遮蔽ハウジングの導電端子から遠く離れた一端に取り組まれ、取り付け部材とドア形部材とを有し、前記取り付け部材は基板と、基板の両側に延びる一対のアーム部を有し、前記アーム部に軸穴が設けられ、一つのアーム部が前記遮蔽ハウジングに固持され、もう一つのアーム部が前記カード取り出し機構に固持され、ドア形部材は前記アーム部に枢設され、軸穴に嵌め合う転軸と転軸を回転する保護板とを有する。
【考案の効果】
【０００７】
従来の技術に比較して、本考案の電子カードコネクタは以下の効果を有する。防塵装置は取り付け部材によって遮蔽ハウジングとカード取り出し機構に装着され、簡便でしっかりと取り付けられ、また、損壊しにくい。
【考案を実施するための最良の形態】
【０００８】
図１を参照し、本考案の電子カードコネクタ１は端子モジュール１２と、端子モジュール１２に装着される遮蔽ハウジング１３と、遮蔽ハウジング１３の一端に装着されるカード取り出し機構１４と、遮蔽ハウジング１３とカード取り出し機構１４に取り付けられる防塵装置１５と、を備える。
【０００９】
図２と図３を参照すると、前記端子モジュール１２は絶縁本体１２１と前記の絶縁本体１２１に収容される複数の導電端子１２２とを有する。遮蔽ハウジング１３は端子モジュール１２に設けられ、端子モジュール１２の一端を覆う蓋板１３１と、蓋板１３１の辺縁から下に向けて延びる一対の側板１３２、１３３とを有し、側板１３３の前部の上、下の辺縁に複数の係合口１３５が設けられ、側板１３２に阻止片１３２１が設けれ、側板１３２の前端に係合片１３４が設けられる。カード取り出し機構１４は遮蔽ハウジング１３の側板１３２に取り付けられ、金属の固持枠１４１を有し、押しレバー１４２は固持枠１４１に収容され、固持枠１４１の上、下の辺縁に遮蔽ハウジング１３の係合口１３５と対応しての複数の係合部１４３が設けられる。固持枠１４１の下辺縁に阻止片１４４が設けられる。カード取り出し機構１４は電子カードを取り出すために使われる頂カバーと、前記頂カバーを押しレバー１４２に接続させるてこの原理を利用する連動レバーなどを有し、しかし、前記構造は業界の公開したの技術で、且つ、本考案の技術と無関係で、それで、図示がない。端子モジュール１２と遮蔽ハウジング１３とカード取り出し機構１４の構造及び取り付け方式は従来の技術であるので、紹介の必要がない。
【００１０】
特に図４を参照し、防塵装置１５は取り付け部材１５１と、ドア形部材１７と、ねじれバネ１８を有する。取り付け部材１５１は金属板で押圧されて形成され、基板１５２と、基板１５２の両側から曲がって延びる第一、第二アーム部１５３、１５４とを有する。基板１５２の外側の中部にグルーブ１５９が設けられ、第一アーム部１５３は基板１５２と垂直で、且つ、遮蔽ハウジング１３の固持片１３４と結合した係合穴１５６が設けられ、第二アーム１５４は基板１５２と垂直な垂直部１５４１と、垂直部１５４１から曲がって延び且つ基板１５２と平行な水平部１５４２を有する。前記第一アーム部１５３と第二アーム部１５４の水平部１５４２はそれぞれ矩形の開口１５８に形成され、開口１５８の中央に定位片１５８０が設けられ、前記定位片１５８０はそれぞれ側板１３２の阻止片１３２１とカード取り出し機構１４４と結合することによって固持の作用を提供する。こうして、第二アーム部１５４はカード取り出し機構１４に固持され、第一アーム部１５３は遮蔽ハウジング１３に固持される。第一、第二アーム部１５３，１５４の基板１５２に隣接する所に軸穴１５５が設けられ、その中の第一アーム部１５３には軸穴１５５を中心とするアークレール１５７が設けられる。ドア形部材１７は前記第一アーム部、第二アーム部１５３、１５４に枢設され、矩形の保護板１７１と、前記保護板１７１の中央から下に向けて延びる突起１７６と、軸穴１５５に結合した転軸１７２と、転軸１７２の上方に設けられるグルーブ１７８と、アークレール１５７と結合した定位柱１７５とを有する。転軸１７２と定位柱１７５の間の距離は前記軸を中心とするアークレール１５７の半径と同じである。保護板１７１の内表面に定位溝１７７（図５を参照しなさい）が設けられ、定位溝１７７はドア形部材１７の転軸１７２と結合し、ねじれバネ１８をその中に収容させる。
【００１１】
図４と図５を参照し、ねじれバネ１８はねじれ形主体部１８０と、主体部１８０の一端から延びる第一押圧アーム１８１と、主体部１８０のもう一端から延びる第二押圧アーム１８２を有する。
【００１２】
防塵装置１５を取り付ける時、ドア形部材１７のの転軸１７２の基部をねじれバネ１８の主体部１８０に当てはめさせ、主体部１８０の上部がグルーブ１７８に収容され、ねじれバネ１８の第一押圧アーム１８１はドア形部材１７の保護板１７１の定位溝１７７に収容され、第二押圧アーム１８２は取り付け部材１５１の基板１５２に当接される。ドア形部材１７は転軸１７２と取り付け部材１５１の軸穴１５５の結合によって、取り付け部材１５１に装着され、ドア部材１７の定位柱１７５は取り付け部材１５１の第一アーム部１５３のアークレール１５７に収容され、且つ、アークレール１５７に沿って滑る。防塵装置１５を遮蔽ハウジング１３とカード取り出し機構１４に装着させ、第一アーム部、第二アーム部１５３、１５４の矩形の開口１５８はカード取り出し機構１４と遮蔽ハウジング１３の側板１３２の阻止片１４４、１３２１に収容されるとともに、開口１５８の内の定位片１５８０は阻止片１４４、１３２１に当接され、こうして、ドア形部材１７の突起１７６は取り付け部材１５１の凹口１５９に収容され、保護板１７１に対する補助の定位作用を提供する。
【００１３】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００１４】
本考案は電子カードコネクタに関し、特に、電子カードを取り込むことに用いられ、且つ防塵装置を有した電子カードコネクタに関するものである。
【図面の簡単な説明】
【００１５】
【図１】本考案の電子カードコネクタの斜視図である。
【図２】本考案の電子カードコネクタのもう一つの角度の斜視図である。
【図３】本考案の電子カードコネクタの分解斜視図である。
【図４】本考案の電子カードコネクタの防塵装置の斜視図である。
【図５】本考案の電子カードコネクタの防塵装置の分解斜視図である。
【符号の説明】
【００１６】
１  電子カードコネクタ
１２  端子モジュール
１３  遮蔽ハウジング
１４  カード取り出し機構
１５  防塵装置
１２１  絶縁本体
１２２  導電端子
１３１  蓋板
１３２、１３３  側板
１３４  固持片
１３５  係合口
１４１  固持枠
１４２  押しレバー
１４４、１３２１  阻止片
１５１  取り付け部材
１５２  基板
１５３  第一アーム部
１５４  第二アーム部
１５４１  垂直部
１５４２  水平部
１５５  軸穴
１５６  係合穴
１５７  アークレール
１５８  開口
１５８０  定位片
１５９  凹口
１７  ドア形部材
１７１  保護板
１７２  転軸
１７５  定位柱
１７６  突起
１７７  定位溝
１７８  グルーブ
１８  ねじれバネ
１８０  主体部
１８１  第一押圧アーム
１８２  第二押圧アーム
【図１】
0003101432.tif 000003
【図２】
0003101432.tif 000004
【図３】
0003101432.tif 000005
【図４】
0003101432.tif 000006
【図５】
0003101432.tif 000007